(57)【要約】【課題】電子鍵盤楽器において演奏者が押鍵したときに安定して発音すること。【解決手段】スイッチング装置は、回動自在なアクチュエータと、平坦な部分を有し、アクチュエータの回動に応じて上下方向に移動可能な上面部と、支持部材と上面部の端部との間に配置され、上面部の移動に応じて変形する変形部と、を含む接点部材と、を有し、アクチュエータの回動軸と垂直かつ支持部材と平行な方向の断面視において、アクチュエータのうち、接点部材との接触面と、側面とを結ぶ面取り部は、接点部材の上面部の端部を含み、上面部に対して垂直な面と、接点部材の変形部が支持部材に接する部分を含み、上面部に対して垂直な面との間に設けられることを特徴とする。【選択図】図４
2018163266.tif 000002
【特許請求の範囲】
【請求項１】
回動自在なアクチュエータと、
平坦な部分を有し、前記アクチュエータの回動に応じて上下方向に移動可能な上面部と、支持部材と前記上面部の端部との間に配置され、前記上面部の移動に応じて変形する変形部と、を含む接点部材と、を有し、
前記アクチュエータの回動軸と垂直かつ前記支持部材と平行な方向の断面視において、
前記アクチュエータのうち、前記接点部材との接触面と、側面とを結ぶ面取り部は、
前記接点部材の前記上面部の端部を含み、前記上面部に対して垂直な面と、
前記接点部材の前記変形部が前記支持部材に接する部分を含み、前記上面部に対して垂直な面との間に設けられる、
スイッチング装置。
【請求項２】
前記面取り部は正接形状を有する、
請求項１に記載のスイッチング装置。
【請求項３】
前記アクチュエータの上面は、複数の凸部を有する、
請求項１に記載のスイッチング装置。
【請求項４】
前記複数の凸部は丸みを有する、
請求項３に記載のスイッチング装置。
【請求項５】
前記接触面は平面を有する、
請求項１乃至４のいずれか一に記載のスイッチング装置。
【請求項６】
前記接触面は曲面を有する、
請求項１乃至４のいずれか一に記載のスイッチング装置。
【請求項７】
前記接触面は凸部を有する、
請求項１乃至４のいずれか一に記載のスイッチング装置。
【請求項８】
請求項１乃至７のいずれか一のスイッチング装置を有し、
前記アクチュエータは、ハンマである、
鍵盤装置。
【請求項９】
請求項１乃至７のいずれか一のスイッチング装置を有し、
前記アクチュエータは、鍵である、
鍵盤装置。
【請求項１０】
請求項１乃至７のいずれか一のスイッチング装置を有し、
前記アクチュエータは、鍵またはハンマと連動する可動部材である、
鍵盤装置。
【発明の詳細な説明】
【技術分野】
【０００１】
本発明は、スイッチング装置および鍵盤装置に関する。
【背景技術】
【０００２】
アコースティックピアノにおいては、アクション機構の動作により、鍵を通して演奏者の指に所定の感覚（以下、タッチ感という）を与える。アコースティックピアノにおいては、ハンマでの押鍵のためにアクション機構を必要とする。一方、電子鍵盤楽器においては、センサにより押鍵を検出するため、アコースティックピアノのようなアクション機構を有しなくても発音が可能である。アクション機構を用いない電子鍵盤楽器および簡易的なアクション機構を用いた電子鍵盤楽器のタッチ感は、アコースティックピアノのタッチ感に対して大きく変わってしまう。そこで、電子鍵盤楽器において、少しでもアコースティックピアノに近いタッチ感を得るために、アコースティックピアノにおけるハンマに相当する機構を設ける技術が開示されている（例えば、特許文献１）。
【先行技術文献】
【特許文献】
【０００３】
【特許文献１】特開２００４−２２６６８７号公報
【発明の概要】
【発明が解決しようとする課題】
【０００４】
この場合、演奏者の押鍵動作に合わせてハンマが動き、センサが押されることで、音が発せられる。この場合、鍵に対して常に垂直方向に力が加わればよいが、演奏者から遠い位置にある鍵の場合または強く押鍵した場合など、必ずしも垂直方向にのみ力が加わるとは限らず、鍵が配置されるスケール方向（横方向）に力が加わる場合がある。これにより、センサが安定して動作せず、発音不良が生じる恐れがある。
【０００５】
本発明の目的の一つは、電子鍵盤楽器において演奏者が押鍵したときに安定して音を発せられるようにすることにある。
【課題を解決するための手段】
【０００６】
本発明の実施形態によると、回動自在なアクチュエータと、平坦な部分を有し、アクチュエータの回動に応じて上下方向に移動可能な上面部と、支持部材と上面部の端部との間に配置され、上面部の移動に応じて変形する変形部と、を含む接点部材と、を有し、アクチュエータの回動軸と垂直かつ支持部材と平行な方向の断面視において、アクチュエータのうち、接点部材との接触面と、側面とを結ぶ面取り部は、接点部材の上面部の端部を含み、上面部に対して垂直な面と、接点部材の変形部が支持部材に接する部分を含み、上面部に対して垂直な面との間に設けられる、スイッチング装置が提供される。
【０００７】
上記スイッチング装置において、面取り部は正接形状を有してもよい。
【０００８】
上記スイッチング装置において、アクチュエータの上面は、複数の凸部を有してもよい。
【０００９】
上記スイッチング装置において、複数の凸部は丸みを有してもよい。
【００１０】
上記スイッチング装置において、接触面は平面を有してもよい。
【００１１】
上記スイッチング装置において、接触面は曲面を有してもよい。
【００１２】
上記スイッチング装置において、接触面は凸部を有してもよい。
【００１３】
本発明の実施形態によれば、上記スイッチング装置を有し、アクチュエータは、ハンマである、鍵盤装置が提供される。
【００１４】
本発明の実施形態によれば、上記スイッチング装置を有し、アクチュエータは、鍵である、鍵盤装置が提供される。
【００１５】
本発明の実施形態によれば、上記スイッチング装置を有し、アクチュエータは、鍵またはハンマと連動する可動部材である、鍵盤装置が提供される。
【発明の効果】
【００１６】
本発明によれば、電子鍵盤楽器において演奏者が押鍵したときに安定して音を発せられるようにすることができる。
【図面の簡単な説明】
【００１７】
【図１】第１実施形態における鍵盤装置の構成を示す図である。
【図２】第１実施形態における音源装置の構成を示すブロック図である。
【図３】第１実施形態における筐体内部の構成を鍵盤側面から見た場合の説明図である。
【図４】第１実施形態における鍵前端側から見た場合のスイッチング装置の説明図である。
【図５】第１実施形態における鍵側面から見た場合のスイッチング装置の説明図である。
【図６】第１実施形態における鍵下面から見た場合のハンマ側負荷部の接触面の説明図である。
【図７】第１実施形態における鍵（白鍵）を押下したときの鍵アセンブリの動作を説明する図である。
【図８】第１実施形態におけるスイッチング装置の説明図である。
【図９】第１実施形態におけるスイッチング装置の説明図である。
【図１０】第２実施形態におけるスイッチング装置の説明図である。
【図１１】第２実施形態における鍵側面から見た場合のスイッチング装置の説明図である。
【図１２】第３実施形態におけるスイッチング装置の説明図である。
【図１３】第３実施形態におけるスイッチング装置の変形例の説明図である。
【図１４】従来例におけるスイッチング装置の説明図である。
【図１５】従来例におけるスイッチング装置の説明図である。
【発明を実施するための形態】
【００１８】
以下、本発明の一実施形態における鍵盤装置について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にａ、ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００１９】
＜第１実施形態＞
（１−１．鍵盤装置の構成）
図１は、第１実施形態における鍵盤装置の構成を示す図である。鍵盤装置１は、この例では、電子ピアノなどユーザ（演奏者）の押鍵に応じて発音する電子鍵盤楽器である。なお、鍵盤装置１は、外部の音源装置を制御するための制御データ（例えば、ＭＩＤＩ）を、押鍵に応じて出力する鍵盤型のコントローラであってもよい。この場合には、鍵盤装置１は、音源装置を備えていなくてもよい。
【００２０】
鍵盤装置１は、鍵盤アセンブリ１０を備える。鍵盤アセンブリ１０は、白鍵１００ｗおよび黒鍵１００ｂを含む。複数の白鍵１００ｗと黒鍵１００ｂとが並んで配列されている。鍵１００の数は、Ｎ個であり、この例では８８個である。この配列された方向をスケール方向という。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００２１】
鍵盤アセンブリ１０の一部は、筐体９０の内部に存在している。鍵盤装置１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００２２】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、鍵盤装置１は、音量をコントロールするためのスライダ、音色を切り替えるためのスイッチ、様々な情報を表示するディスプレイなどが備えられていてもよい。
【００２３】
なお、本明細書における説明において、上、下、左、右、手前および奥などの方向は、演奏するときの演奏者から鍵盤装置１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２４】
図２は、第１実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２５】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２６】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。鍵盤アセンブリ１０の構成について、以下において説明する。
【００２７】
（１−２．鍵盤アセンブリの構成）
図３は、第１実施形態における筐体内部の構成を鍵盤側面方向から見た場合の説明図である。図３に示すように、筐体９０の内部において、鍵盤アセンブリ１０およびスピーカ８０が配置されている。すなわち、筐体９０は、少なくとも、鍵盤アセンブリ１０の一部（接続部１８０およびフレーム５００）およびスピーカ８０を覆っている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。なお、鍵盤アセンブリ１０の内部の空間、すなわち鍵１００（鍵本体部）の下方側の空間に到達する、スピーカ８０からの音の経路は、経路ＳＲとして例示されている。
【００２８】
鍵盤アセンブリ１０は、上述した鍵１００の他にも、接続部１８０、ハンマアセンブリ２００およびフレーム５００を含む。鍵盤アセンブリ１０は、ほとんどの構成が射出成形などによって製造された樹脂製の構造体である。フレーム５００は、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から延在している。鍵側支持部１８３は、板状可撓性部材１８１の後端から延在している。棒状可撓性部材１８５が、鍵側支持部１８３およびフレーム５００のフレーム側支持部５８５によって支持されている。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。なお、棒状可撓性部材１８５は、鍵側支持部１８３とフレーム側支持部５８５と一体となって、または接着等により、着脱できない構成であってもよい。
【００２９】
鍵１００は、前端鍵ガイド１５１および側面鍵ガイド１５３を備える。前端鍵ガイド１５１は、フレーム５００の前端フレームガイド５１１を覆った状態で摺動可能に接触している。前端鍵ガイド１５１は、その上部と下部のスケール方向の両側において、前端フレームガイド５１１と接触している。側面鍵ガイド１５３は、スケール方向の両側において側面フレームガイド５１３と摺動可能に接触している。この例では、側面鍵ガイド１５３は、鍵１００の側面のうち非外観部ＮＶに対応する領域に配置され、接続部１８０（板状可撓性部材１８１）よりも鍵前端側に存在するが、外観部ＰＶに対応する領域に配置されてもよい。
【００３０】
また、鍵１００は、外観部ＰＶの下方において鍵側負荷部１２０が接続されている。鍵側負荷部１２０は、鍵１００が回動するときに、ハンマアセンブリ２００を回動させるように、ハンマアセンブリ２００に接続される。
【００３１】
ハンマアセンブリ２００は、鍵１００の下方側の空間に配置され、フレーム５００に対して回動可能に取り付けられている。ハンマアセンブリ２００は、錘部２３０およびハンマ本体部２５０を備える。ハンマ本体部２５０には、フレーム５００の回動軸５２０の軸受となる軸支持部２２０が配置されている。軸支持部２２０とフレーム５００の回動軸５２０とは少なくとも３点で摺動可能に接触する。
【００３２】
ハンマ側負荷部２１０は、ハンマ本体部２５０の前端部に接続されている。ハンマ側負荷部２１０は、鍵側負荷部１２０の内部において概ね前後方向に摺動可能に接触する部分を備える。この接触部分にはグリース等の潤滑材が配置されていてもよい。ハンマ側負荷部２１０および鍵側負荷部１２０（以下の説明において、これらをまとめて「負荷発生部」という場合がある）とは、互いに摺動することで押鍵時の負荷の一部を発生する。負荷発生部は、この例では外観部ＰＶ（鍵本体部の後端よりも前方）における鍵１００の下方に位置する。
【００３３】
錘部２３０は、金属製の錘を含み、ハンマ本体部２５０の後端部（回動軸よりも奥側）に接続されている。通常時（押鍵していないとき）には、錘部２３０が下側ストッパ４１０に載置された状態になる。これによって、鍵１００はレスト位置で安定する。押鍵されると、錘部２３０が上方に移動し、上側ストッパ４３０に衝突する。これによって鍵１００の最大押鍵量となるエンド位置が規定される。この錘部２３０によっても、押鍵に対して負荷を与える。下側ストッパ４１０および上側ストッパ４３０は、緩衝材等（不織布、弾性体等）で形成されている。
【００３４】
負荷発生部の下方において、フレーム５００にセンサ３００が取り付けられている。押鍵によりハンマ側負荷部２１０の接触面２１５側でセンサ３００が押しつぶされると、センサ３００は検出信号を出力する。ここで、ハンマ側負荷部２１０、鍵側負荷部１２０およびセンサ３００を合わせてスイッチング装置５０という。スイッチング装置５０の構成について以下に詳述する。
【００３５】
（１−３．スイッチング装置の構成）
図４に図３のスイッチング装置５０を鍵前端側（鍵前方側）、つまりＤ１方向から見た時の断面図を示す。なお、Ｄ１方向は、ハンマ側負荷部２１０の延伸方向、あるいは回動軸５２０と垂直かつ下部電極支持部３５０と平行な方向という場合がある。
【００３６】
センサ３００は、上部電極３１０、下部電極３２０、上部電極支持部３３０、変形部３４０および下部電極支持部３５０を備える。
【００３７】
上部電極３１０は、上部電極支持部３３０の下面３３０Ｂに設けられる。上部電極３１０は、弾性体で形成され、先端部３１０Ａに導電部が設けられる。この例では、上部電極３１０には、成型加工されたシリコンゴムが用いられ、先端部３１０Ａには導電体として導電性カーボンブラックが用いられる。
【００３８】
下部電極３２０は、上部電極３１０に対向するように、下部電極支持部３５０の上面側に配置される。下部電極３２０は、導電体を含む。例えば、下部電極３２０には、金、銀、銅、白金などの金属材料、または導電性のカーボンブラックなどの導電樹脂が用いられる。
【００３９】
変形部３４０は、上部電極支持部３３０と、下部電極支持部３５０とを結ぶように配置される。変形部３４０は、上部電極支持部３３０の端部３３１Ａおよび上部電極支持部３３０の端部３３１Ｂと接続される。なお、端部３３１Ａおよび端部３３１Ｂを特に区別せずに説明できる場合には、端部３３１という場合がある。また、変形部３４０は、下部電極支持部３５０と直接固定されてもよいし、間接的に固定されてもよい。この例では、変形部３４０は、接続部３４０Ａおよび接続部３４０Ｂで下部電極支持部３５０と固定されている。このとき、接続部３４０Ａは、上部電極支持部３３０の端部３３１Ａよりも、外側かつ下に配置されていて、接続部３４０Ａと上部電極支持部３３０の端部３３１Ａとを結ぶように、変形部３４０が配置されているということができる。なお、変形部３４０が他の部材に固定されている場合は、下部電極支持部３５０と固定されなくてもよい。変形部３４０は、上部電極３１０および上部電極支持部３３０を上下方向に移動可能とすることにより、上部電極３１０と下部電極３２０との距離を可変にし、かつ元の位置に復元可能となるように、変形する機能を有する。そのため、変形部３４０は、変形可能でかつ復元可能な部材が用いられる。例えば、変形部３４０には、成形加工されたシリコンゴムが用いられる。
【００４０】
上部電極支持部３３０は、ハンマ側負荷部２１０に対向して配置される。図３において、上部電極支持部３３０の上面３３０Ａは、平坦な面を有する。なお、上面３３０Ａは、上部電極３１０の形状に応じて、凹みを有しても良い。上部電極支持部３３０は、上部電極３１０および変形部３４０と一体で加工成形できるように、シリコンゴムが用いられる。そのため、上部電極３１０、上部電極支持部３３０および変形部３４０を合わせて接点部材ということができる。接点部材とした場合、上部電極支持部３３０は、接点部材の上面部という場合がある。また、上述した形状において、接点部材は接続部３４０Ａおよび接続部３４０Ｂから立ち上がる形状を有している。したがって、接続部３４０Ａは、接点部材における立ち上がり部ということができる。接続部３４０Ｂについても、同様に配置されている。また、上部電極支持部３３０には、潤滑材が設けられてもよい。
【００４１】
下部電極支持部３５０は、下部電極３２０とともに、別の部材として設けられてもよい。たとえば、下部電極支持部３５０は、プリント基板として設けられ、下部電極３２０は、プリント基板上に形成された電極とすることができる。下部電極支持部３５０は、支持部材ということもできる。つまり、下部電極３２０および下部電極支持部３５０を合わせて、回路基板ということができる。
【００４２】
上述において、上部電極支持部３３０と、下部電極支持部３５０と、変形部３４０とは、囲まれた領域Ａ２を形成している。このとき、上部電極３１０および下部電極３２０は、領域Ａ２に配置されているということができる。
【００４３】
ハンマ側負荷部２１０は、上部電極支持部３３０と接触する接触面２１５を有する。接触面２１５は、平面を有する。また、ハンマ側負荷部２１０は、端部２１０Ｄにおいて、接触面２１５と、側面２１０Ａとを結ぶように配置された面取り部２６０−１を有する。同様にして、ハンマ側負荷部２１０は、接触面２１５と側面２１０Ｂとを結ぶように配置された面取り部２６０−２を有する。なお、面取り部２６０−１、面取り部２６０−２を特に区別せずに説明できる場合には、面取り部２６０という場合がある。接触面２１５を含むハンマ側負荷部２１０には、上部電極支持部３３０よりも固い材料が用いられる。例えば、ハンマ側負荷部２１０にはプラスチックなどの材料が用いられる。接触面２１５には、潤滑材が設けられてもよい。
【００４４】
面取り部２６０は、正接形状を有している。正接形状とは、例えば断面視において直線から円弧、さらに円弧から直線というように、角を有さずに連続して移行する形状をいう。したがって、ハンマ側負荷部２１０は、接触面の端部においてとがった部分を有さず、滑らかな形状を有することができる。
【００４５】
ここで、図４において、上部電極支持部３３０の端部３３１Ａを含み、上部電極支持部３３０の上面３３０Ａに対して垂直な面を面ＵＬとする。また、変形部３４０の下部電極支持部３５０との接続部３４０Ａを含み、上部電極支持部３３０の上面３３０Ａに対して垂直な面を面ＬＬとする。このとき、面取り部２６０−１は、面ＵＬと面ＬＬとの間に設けられる。同様にして、上部電極支持部３３０の端部３３１Ｂを含み、上部電極支持部３３０の上面３３０Ａに対して垂直な面を面ＵＲとする。また、変形部３４０の下部電極支持部３５０との接続部３４０Ｂを含み、上部電極支持部３３０の上面３３０Ａに対して垂直な面を面ＬＲとする。このとき、面取り部２６０−２は、面ＵＲと面ＬＲとの間に設けられる。
【００４６】
図５に図３のスイッチング装置５０を鍵盤に対して横方向（スケール方向、図４のＤ２方向）から見た時の断面図を示す。図５に示すように、センサ３００の上部電極支持部３３０は、ハンマ側負荷部２１０の回動する軌道Ｒ１に合わせて下側電極支持部３５０に対して傾斜して配置されている。
【００４７】
接触面２１５には、複数の凸部２７０が設けられる。凸部２７０は先端部２７０ａにおいて、丸みを有する。なお、凸部２７０は、先端部２７０ａだけではなく、側面も丸みを有してもよい。例えば、凸部２７０は、半円形状を有してもよい。
【００４８】
図６にハンマ側負荷部２１０の接触面の鍵下側から見た場合の図を示す。複数の凸部２７０は、並列に配列されている。
【００４９】
（１−４．鍵盤アセンブリの動作）
図７は、第１実施形態における鍵（白鍵）を押下したときの鍵アセンブリの動作を説明する図である。図７（Ａ）は、鍵１００がレスト位置（押鍵していない状態）にある場合の図である。図７（Ｂ）は、鍵１００がエンド位置（最後まで押鍵した状態）にある場合の図である。鍵１００が押下されると、棒状可撓性部材１８５が回動中心となって曲がる。このとき、棒状可撓性部材１８５は、鍵１００の前方（手前方向）への曲げ変形が生じているが、側面鍵ガイド１５３による前後方向の移動の規制によって、鍵１００は前方に移動するのではなく鍵１００に対して垂直方向（Ｄ３方向）に回動するようになる。そして、鍵側負荷部１２０がハンマ側負荷部２１０を押し下げることで、ハンマアセンブリ２００が回動軸５２０を中心に回動する。なお、図７の説明において、スイッチング装置５０の各構成については、図４、５が参照される。
【００５０】
錘部２３０が上側ストッパ４３０に衝突することによって、ハンマアセンブリ２００の回動が止まり、鍵１００がエンド位置に達する。また、センサ３００がハンマ側負荷部２１０によって押しつぶされると、センサ３００は、押しつぶされた量（押鍵量）に応じた複数の段階で、検出信号を出力する。この場合、ハンマ側負荷部２１０は、アクチュエータの一つとして機能する。なお、このときの鍵先端方向から見たスイッチング装置５０の断面図を図８に示す。
【００５１】
図８に示すように、センサ３００において上部電極支持部３３０がハンマ側負荷部２１０によって下部電極支持部３５０に対して垂直方向（Ｄ３方向）に押下された場合、上部電極３１０と下部電極３２０とが接触する。この場合は、スイッチング装置５０において、正常に検出信号が出力されるため、安定した音が発せられる。しかしながら、演奏者から遠い位置にある鍵を押下する場合またはハンマ負荷部２１０に振動（ブレ）が生じた場合など、ハンマ側負荷部２１０に対して、例えばスケール方向（Ｄ２方向）の力も加わる場合がある。図１４に、従来例におけるスケール方向（Ｄ２方向）の力が加わった場合の断面図を示す。
【００５２】
図１４に示すように、従来例のスイッチング装置５５は、ハンマ側負荷部２１０の接触面２１５の幅が、上部電極支持部３３０の上面３３０Ａの幅と同程度か大きく、かつハンマ側負荷部２１０の端部２１０Ｄが角２１０ｋを有する。ハンマ側負荷部２１０がスケール方向（Ｄ２方向）の力も加えられた状態で垂直方向（Ｄ３方向）に押下されると、上部電極支持部３３０とずれて接触することとなる。この場合、角２１０ｋが上部電極支持部３３０の上面３３０Ａの一部に食い込み、引っかかりが生じる。これにより、上部電極支持部３３０がハンマ側負荷部２１０の動きに追従して移動してしまう。さらに、上部電極支持部３３０と接続された変形部３４０も、上部電極支持部３３０に合わせて変形することとなる。この場合、図１４に示すように、上部電極３１０は、下部電極３２０と電気的な接続をとることができない。上部電極３１０と、下部電極３２０との電気的な接続が取れない場合、センサ３０５は検出信号を出力できないため、鍵盤装置１は、音を発することができない。また、上部電極３１０と、下部電極３２０とが部分的に接続されたとしても、安定した接続とはならないため、鍵盤装置１は安定して音を発することができない。
【００５３】
また、角２１０ｋの上部電極支持部３３０への食い込みが弱く、ハンマ側負荷部２１０が上部電極支持部３３０からずれて動いたとしても、図１５に示すように、角２１０ｋが上部電極支持部３３０の上面３３０Ａに強い衝撃を与えることにより、上部電極支持部３３０に欠損３３０ｋが生じる恐れがある。この場合の欠損３３０ｋとしては、上部電極支持部３３０に生じる亀裂または穴などが挙げられる。したがって、従来のスイッチング装置５５においてハンマ側負荷部２１０の接触面２１５の端部２１０Ｄが角２１０ｋを有する場合、ずれて押下されることを考慮してハンマ側負荷部２１０の幅を上部電極支持部３３０に比してさらに大きくする必要が生じる（例えば、図４のハンマ側負荷部２１０の端部２１０ＤをＬＬ、ＬＲよりも外側に配置する）。これは、他の鍵との干渉を生じる恐れがあり、鍵盤装置１を設計する上で好ましくない。
【００５４】
図９に、本実施形態を用いて、上部電極支持部３３０がハンマ側負荷部２１０の接触面２１５と接触し、押下されたときのセンサ３００の鍵先端方向から見た断面図を示す。本実施形態を用いた場合、ハンマ側負荷部２１０は、上部電極支持部３３０の端部３３１Ａから端部３３１Ｂまでの領域において、平坦な部分のみを有する。また、ハンマ側負荷部２１０は面取り部２６０を有し、面取り部２６０は正接形状を有する。これにより、ハンマ側負荷部２１０は角２１０ｋを有しないために、ハンマ側負荷部２１０が上部電極支持部３３０の上面３３０Ａにずれて接触した際にも、角２１０ｋによる食い込み、引っかかりが生じることがない。したがって、ハンマ側負荷部２１０の動きに上部電極支持部３３０が追従してしまうことが防止され、ハンマ側負荷部２１０が滑らかにスケール方向にずれる（移動する）ことができる。
【００５５】
また、図４に示すように、ハンマ側負荷部３３０の接触面２１５の面取り部２６０−１は、面ＵＬと面ＬＬとの間にあり、面取り部２６０−２は、面ＵＲと面ＬＲとの間にある。したがって、ずれを考慮してハンマ側負荷部２１０の幅を上部電極支持部３３０に比してさらに大きくする必要はなく、鍵盤装置１の設計における自由度が狭められることがない。
【００５６】
また、このとき、ハンマ側負荷部２１０は面取り部２６０を有するため、上部電極支持部３３０の上面３３０Ａに図１５に示した角２１０ｋが接触することがないため、上部電極支持部３３０の損傷が防止される。
【００５７】
さらに、図５に示すように、ハンマ側負荷部２１０の接触面２１５には複数の凸部２７０が設けられている。これにより、接触面２１５と上部電極支持部３３０の上面３３０Ａとの接触面積が下がる。この場合、ハンマ側負荷部２１０における接触面２１５の凸部２７０と上部電極支持部３３０の上面３３０Ａとの間に働く凝着（結合）力または静止摩擦力が働いていたとしても、垂直方向（Ｄ３方向）およびスケール方向（Ｄ２方向）に加えられる力は、凝着力または静止摩擦力よりも大きい。これにより、ハンマ側負荷部２１０が上部電極支持部３３０からずれる（移動する）ことができる。つまり、図１４のようにハンマ側負荷部２１０の動きに上部電極支持部３３０が追従してしまうことが防止され、ハンマ側負荷部２１０が滑らかにスケール方向にずれることができる。したがって、ハンマ側負荷部２１０のスケール方向（Ｄ２）へのずれに対して上部電極支持部３３０が追従することがないため、上部電極支持部３３０は、ハンマ側負荷部２１０のスケール方向（Ｄ２）の動きに対する影響が緩和され、上部電極支持部３３０に配置された上部電極３１０も所定の位置を保持することができる。ゆえに、図９に示すように、上部電極支持部３３０が、ハンマ側負荷部２１０により押下されたときに、上部電極３１０と下部電極３２０とは確実に接することができる。つまり、鍵盤装置１は、安定して音を発することができる。
【００５８】
＜第２実施形態＞
（２．スイッチング装置５０ａの構成）
第２実施形態では、第１実施形態とは異なる構造を有するスイッチング装置５０ａについて説明する。
【００５９】
図１０にスイッチング装置５０ａの断面図を示す。図１０に示すように、ハンマ側負荷部２１０の接触面２１５ａは、曲面を有する。
【００６０】
図１１に図１０のスイッチング装置５０ａを鍵盤に対して横方向（スケール方向、図１０のＤ２方向）から見た時の断面図を示す。図１１に示すように、Ｄ２の方向からの断面図においても、ハンマ側負荷部２１０の接触面２１５ａは同様に曲面を有する。接触面２１５ａは、曲面を有することにより、スイッチング装置５０に比べて端部２１０Ｄが上部電極支持部３３０の上面３３０Ａから離れる状態となる。これにより、ハンマ側負荷部２１０の端部２１０Ｄが上部電極支持部３３０に食い込み、ひっかかりが生じることがより効果的に抑えられる。また、ハンマ側負荷部２１０の接触面２１５ａと上部電極支持部３３０の上面３３０Ａとの接触面積を減らすことができる。これにより、ハンマ側負荷部２１０が滑らかに移動することができ、上部電極３１０が下部電極３２０とずれてしまうことが防止される。したがって、センサ３００における検出不良が防止される。つまり、鍵盤装置１は、安定して音を発することができる。
【００６１】
なお、スイッチング装置５０ａにおいて、ハンマ側負荷部２１０の接触面２１５ａは鍵前端側およびスケール方向いずれから見ても曲面を有するが、いずれかの方向のみ曲面を有する形状を有してもよい。
【００６２】
＜第３実施形態＞
（３．スイッチング装置５０ｂの構成）
第３実施形態では、第１実施形態とは異なる構造を有するスイッチング装置５０ｂについて説明する。
【００６３】
図１２にスイッチング装置５０ｂの断面図を示す。図１２に示すように、ハンマ側負荷部２１０の接触面２１５ｂは、鍵前端方向（図３に示すＤ１方向）から見た場合に凹凸形状を有する。上記形状を有することにより、スイッチング装置５０ａと同様にスイッチング装置５０に比べて端部２１０Ｄが上部電極支持部３３０の上面３３０Ａから離れる状態となる。これにより、ハンマ側負荷部２１０の端部２１０Ｄが上部電極支持部３３０に食い込み、ひっかかりが生じることがより効果的に抑えられる。また、ハンマ側負荷部２１０の接触面２１５ｂと上部電極支持部３３０の上面３３０Ａとの接触面積をスイッチング装置５０よりもさらに減らすことができる。これにより、ハンマ側負荷部２１０の接触面２１５ｂと上部電極支持部３３０の上面３３０Ａとの凝着または摩擦により上部電極３１０がずれてしまうことが防止される。したがって、センサ３００における検出不良が防止される。つまり、鍵盤装置１は、安定して音を発することができる。
【００６４】
＜変形例＞
以上、本発明の一実施形態について説明したが、本発明は以下のように、様々な態様で実施可能である。
【００６５】
本発明の第１乃至第３実施形態では、ハンマ側負荷部２１０が上部電極支持部３３０と接する例を示したが、鍵側負荷部１２０が直接上部電極支持部３３０と接し、押下してもよい。この場合、センサ３００の配置が図３に示す位置とは異なり、鍵１００の直下（例えば、図３において、前端鍵ガイド１５１と、側面鍵ガイド１５３とを結ぶ線の中間位置）にセンサ３００が配置される。この場合、鍵１００は図３に示された位置とは異なる場所でハンマアセンブリ２００と接続する。鍵側負荷部１２０は、演奏者が押鍵したときの影響を直接受けるために、上部電極支持部３３０がよりスケール方向にずれやすくなる。そのため、本発明を用いることによる効果を一層得ることができる。
【００６６】
また、ハンマ側負荷部２１０および鍵側負荷部１２０が上部電極支持部３３０を押下しなくてもよい。例えば、ハンマ側負荷部２１０や鍵側負荷部１２０から分離した別の部材がアクチュエータとして機能としてもよい。この場合、アクチュエータは鍵に連動する可動部品であってもよい。
【００６７】
また、本発明の第１実施形態では、上部電極支持部がスケール方向にずれる例を示したが、スケール方向に対して垂直な方向や斜め方向にずれた場合、さらにハンマ側負荷部２１０が回転してねじれた場合にも適用される。
【００６８】
また、本発明の第１実施形態では、接触面２１５の面取り部２６０が正接形状を有する例を説明したが、これに限定されない。接触面２１５の面取り部２６０が正接形状を有しない面取り形状（例えばＣ面取り）でもよい。この場合、Ｃ面取りの角（直線部と面取り部の境界部）になる部分が滑らかな形状（円弧）を有すればよい。
【００６９】
また、本発明の第３実施形態において、凹凸を有する例を示したが、第３実施形態におけるスイッチング装置の説明図である。凹部のみでもよいし、凸部のみでもよい。たとえば、図１３に示すように、スイッチング装置５０ｃは、複数の凸部２８０を有する。凸部２８０は、半円形状を有する。これによりハンマ側負荷部２１０の接触面２１５ｃが上部電極支持部３３０に食い込み、ひっかかりが防止され、接触面２１５ｃと上部電極支持部３３０との接触面積も小さくすることができる。これにより、ハンマ側負荷部２１０の接触面と上部電極支持部３３０の上面３３０Ａとの凝着または摩擦により上部電極３１０がずれてしまうことが防止される。したがって、センサ３００における検出不良が防止される。つまり、鍵盤装置１は、安定して音を発することができる。
【符号の説明】
【００７０】
１・・・鍵盤装置、１０・・・鍵盤アセンブリ、７０・・・音源装置、８０・・・スピーカ、９０・・・筐体、１００・・・鍵、１００ｂ・・・黒鍵、１００ｗ・・・白鍵、１２０・・・鍵側負荷部、１５１・・・前端鍵ガイド、１５３・・・側面鍵ガイド、１８０・・・接続部、１８１・・・板状可撓性部材、１８３・・・鍵側支持部、１８５・・・棒状可撓性部材、２００・・・ハンマアセンブリ、２１０・・・ハンマ側負荷部、２１５・・・接触面、２２０・・・軸支持部、２３０・・・錘部、２５０・・・ハンマ本体部、２６０・・・面取り部、２７０・・・凸部、２７０ａ・・・先端部、２８０・・・凸部、３００・・・センサ、３１０・・・上部電極、３２０・・・下部電極、３３０・・・上部電極支持部、３３０Ａ・・・上面、３３０Ｂ・・・下面、３３０ｋ・・・欠損、３３１・・・端部、３３１Ａ・・・端部、３３１Ｂ・・・端部、３４０・・・変形部、３４０Ａ・・・接続部、３４０Ｂ・・・接続部、３４０Ｄ・・・側面、３５０・・・下部電極支持部、４１０・・・下側ストッパ、４３０・・・上側ストッパ、５００・・・フレーム、５１１・・・前端フレームガイド、５１３・・・側面フレームガイド、５２０・・・回動軸、５８５・・・フレーム側支持部、７１０・・・信号変換部、７３０・・・音源部、７５０・・・出力部
【図１】
2018163266.tif 000003
【図２】
2018163266.tif 000004
【図３】
2018163266.tif 000005
【図４】
2018163266.tif 000006
【図５】
2018163266.tif 000007
【図６】
2018163266.tif 000008
【図７】
2018163266.tif 000009
【図８】
2018163266.tif 000010
【図９】
2018163266.tif 000011
【図１０】
2018163266.tif 000012
【図１１】
2018163266.tif 000013
【図１２】
2018163266.tif 000014
【図１３】
2018163266.tif 000015
【図１４】
2018163266.tif 000016
【図１５】
2018163266.tif 000017